(57)【要約】【課題】内部に残存していた投票用紙の計数作業の容易化を図ることができる投票用紙交付機の提供。【解決手段】装填部１３に装填された投票用紙Ｐを搬送する繰出搬送部１４と、搬送中の投票用紙を検知する検知部１５と、単送が検知された投票用紙Ｐを取出可能に繰り出す機外繰出部３８と、重送が検知された投票用紙Ｐを収納するリジェクト収納部３９と、投票用紙Ｐを機外繰出部３８とリジェクト収納部３９とに振り分ける振分部４０とを有し、回収操作が入力されると、装填部１３に残存する投票用紙Ｐを繰出搬送部１４で分離して搬送し、検知部１５で重送を検知した投票用紙Ｐを振分部４０でリジェクト収納部３９に振り分ける一方、検知部１５で単送を検知した投票用紙Ｐを計数して振分部４０で機外繰出部３８に振り分けるとともに、検知部１５の計数結果を表示手段に表示する。【選択図】図１
2010039905.tif 000002
【特許請求の範囲】
【請求項１】
投票用紙が集積状態で装填される装填部と、
該装填部に装填された投票用紙を分離して繰り出し搬送する繰出搬送部と、
該繰出搬送部で搬送中の投票用紙を検知する検知部と、
該検知部で単送が検知された投票用紙を取出可能に繰り出す機外繰出部と、
前記検知部で重送が検知された投票用紙を収納するリジェクト収納部と、
前記繰出搬送部で搬送される投票用紙を前記検知部の検知結果に基づいて前記機外繰出部と前記リジェクト収納部とに振り分ける振分部とを有する投票用紙交付機であって、
回収指示手段と表示手段と回収部とを有し、
前記回収指示手段に回収操作が入力されると、前記装填部に残存する投票用紙を前記繰出搬送部で分離して搬送し、前記検知部で重送を検知した投票用紙を前記振分部で前記リジェクト収納部に振り分ける一方、前記検知部で単送を検知した投票用紙を計数して前記振分部で前記回収部に振り分けるとともに、前記検知部の計数結果を前記表示手段に表示することを特徴とする投票用紙交付機。
【請求項２】
前記回収部は、投票用紙を複数枚保持可能に構成された前記機外繰出部であり、
前記回収指示手段に回収操作が入力されると、前記装填部に残存する投票用紙を前記繰出搬送部で分離して搬送し前記検知部で単送を検知した投票用紙を計数して前記振分部で前記回収部に振り分けるとともに所定枚数の投票用紙を前記回収部に繰り出すと前記繰出搬送部を一旦停止させる所定枚数繰出動作を行い、前記回収部から投票用紙が取り出されたことを検知すると、再び、前記所定枚数繰出動作を行うことを特徴とする請求項１記載の投票用紙交付機。
【請求項３】
前記回収部は、投票用紙を上方に向けて送り出すローラ対と、該ローラ対の一方の回転軸に一体に支持され、前記ローラ対から送り出される投票用紙の下端部を側方に寄せる羽根車と、該羽根車で寄せられた投票用紙の下端部を支持する支持部とを有することを特徴とする請求項２記載の投票用紙交付機。
【請求項４】
前記回収部は、前記機外繰出部および前記リジェクト収納部とは別に設けられた回収収納部であることを特徴とする請求項１記載の投票用紙交付機。
【請求項５】
前記回収指示手段に回収操作が入力されると、それまで前記検知部で単送を検知した投票用紙を計数していた交付用カウンタとは別の回収用カウンタにて前記検知部で単送を検知した投票用紙を計数することを特徴とする請求項１乃至４のいずれか一項記載の投票用紙交付機。
【請求項６】
内蔵または外部接続されたプリンタに、前記交付用カウンタおよび前記回収用カウンタの各計数データを出力可能であることを特徴とする請求項５記載の投票用紙交付機。
【請求項７】
装填枚数データ入力手段と、該装填枚数データ入力手段に入力された装填枚数データを記憶する装填枚数記憶手段とを有し、該装填枚数記憶手段に記憶された装填枚数データから前記交付用カウンタの計数データおよび前記回収用カウンタの計数データを減算したリジェクト枚数データを算出して出力可能であることを特徴とする請求項５または６記載の投票用紙交付機。
【発明の詳細な説明】
【技術分野】
【０００１】
本発明は、選挙用の投票用紙交付機に関する。
【背景技術】
【０００２】
選挙用の投票用紙を確実に一枚ずつ分離して交付するために投票用紙交付機を用いることがある。この投票用紙交付機には、投票者の男女別の性別ボタンが操作されることで投票用紙を一枚ずつ繰り出すとともに、男女別の投票数を計数するもの（例えば、特許文献１参照）や、投票用紙の男女別および男女合計の交付率（投票率）や、時間帯別の交付済み枚数（投票数）、時間帯別の交付率（投票率）等を集計して出力できるようにしたもの（例えば、特許文献２参照）がある。
【特許文献１】特公平７−２５４２８号公報
【特許文献２】特許３２６５３７６号公報
【発明の開示】
【発明が解決しようとする課題】
【０００３】
ところで、投票用紙は厳正な管理が必要であることから、投票終了後に、使用されなかった投票用紙の残数を確認することが行われている。そして、上記した投票用紙交付機についても、内部に残存していた投票用紙を計数する必要があり、通常、投票用紙交付機から投票用紙を取り出して手作業で計数している。しかしながら、手作業での計数は、枚数が多くなればなるほど、多大な労力が必要となってしまう。
【０００４】
したがって、本発明は、内部に残存していた投票用紙の計数作業の容易化を図ることができる投票用紙交付機の提供を目的とする。
【課題を解決するための手段】
【０００５】
上記目的を達成するために、請求項１に係る発明は、投票用紙が集積状態で装填される装填部と、該装填部に装填された投票用紙を分離して繰り出し搬送する繰出搬送部と、該繰出搬送部で搬送中の投票用紙を検知する検知部と、該検知部で単送が検知された投票用紙を取出可能に繰り出す機外繰出部と、前記検知部で重送が検知された投票用紙を収納するリジェクト収納部と、前記繰出搬送部で搬送される投票用紙を前記検知部の検知結果に基づいて前記機外繰出部と前記リジェクト収納部とに振り分ける振分部とを有する投票用紙交付機であって、回収指示手段と表示手段と回収部とを有し、前記回収指示手段に回収操作が入力されると、前記装填部に残存する投票用紙を前記繰出搬送部で分離して搬送し、前記検知部で重送を検知した投票用紙を前記振分部で前記リジェクト収納部に振り分ける一方、前記検知部で単送を検知した投票用紙を計数して前記振分部で前記回収部に振り分けるとともに、前記検知部の計数結果を前記表示手段に表示することを特徴としている。
【０００６】
請求項２に係る発明は、請求項１に係る発明において、前記回収部は、投票用紙を複数枚保持可能に構成された前記機外繰出部であり、前記回収指示手段に回収操作が入力されると、前記装填部に残存する投票用紙を前記繰出搬送部で分離して搬送し前記検知部で単送を検知した投票用紙を計数して前記振分部で前記回収部に振り分けるとともに所定枚数の投票用紙を前記回収部に繰り出すと前記繰出搬送部を一旦停止させる所定枚数繰出動作を行い、前記回収部から投票用紙が取り出されたことを検知すると、再び、前記所定枚数繰出動作を行うことを特徴としている。
【０００７】
請求項３に係る発明は、請求項２に係る発明において、前記回収部は、投票用紙を上方に向けて送り出すローラ対と、該ローラ対の一方の回転軸に一体に支持され、前記ローラ対から送り出される投票用紙の下端部を側方に寄せる羽根車と、該羽根車で寄せられた投票用紙の下端部を支持する支持部とを有することを特徴としている。
【０００８】
請求項４に係る発明は、請求項１に係る発明において、前記回収部は、前記機外繰出部および前記リジェクト収納部とは別に設けられた回収収納部であることを特徴としている。
【０００９】
請求項５に係る発明は、請求項１乃至４のいずれか一項に係る発明において、前記回収指示手段に回収操作が入力されると、それまで前記検知部で単送を検知した投票用紙を計数していた交付用カウンタとは別の回収用カウンタにて前記検知部で単送を検知した投票用紙を計数することを特徴としている。
【００１０】
請求項６に係る発明は、請求項５に係る発明において、内蔵または外部接続されたプリンタに、前記交付用カウンタおよび前記回収用カウンタの各計数データを出力可能であることを特徴としている。
【００１１】
請求項７に係る発明は、請求項５または６に係る発明において、装填枚数データ入力手段と、該装填枚数データ入力手段に入力された装填枚数データを記憶する装填枚数記憶手段とを有し、該装填枚数記憶手段に記憶された装填枚数データから前記交付用カウンタの計数データおよび前記回収用カウンタの計数データを減算したリジェクト枚数データを算出して出力可能であることを特徴としている。
【発明の効果】
【００１２】
請求項１に係る発明によれば、回収指示手段に回収操作が入力されると、装填部に残存する投票用紙を繰出搬送部で分離して搬送し、検知部で重送を検知した投票用紙を振分部でリジェクト収納部に振り分ける一方、検知部で単送を検知した投票用紙を計数して振分部で回収部に振り分けるとともに、検知部の計数結果を表示手段に表示することになるため、内部に残存していた投票用紙のうち回収部に送られる投票用紙の数を自動で計数して表示できる。よって、この計数データに、リジェクト収納部に収納された投票用紙を手作業で計数した計数データを加算すれば、内部に残存していた投票用紙の数を計数できる。したがって、内部に残存していた投票用紙の計数作業の容易化を図ることができる。
【００１３】
請求項２に係る発明によれば、回収指示手段に回収操作が入力されると、装填部に残存する投票用紙を繰出搬送部で分離して搬送し検知部で単送を検知した投票用紙を計数して振分部で回収部である機外繰出部に振り分けるとともに所定枚数の投票用紙を回収部である機外繰出部に繰り出すと繰出搬送部を一旦停止させる所定枚数繰出動作を行い、回収部である機外繰出部から投票用紙が取り出されたことを検知すると、再び、前記所定枚数繰出動作を行う。このように所定枚数繰出動作を適宜繰り返すことによって、内部に残存していた投票用紙を計数することになる。このように、交付時に一枚の投票用紙を繰り出す機外繰出部に、保持可能な所定の複数枚の投票用紙を繰り出すことを繰り返すことによって、機外繰出部を残数計数時の投票用紙の回収部として利用できる。したがって、コスト増を抑制することができる。
【００１４】
請求項３に係る発明によれば、回収部である機外繰出部が、ローラ対が投票用紙を上方に向けて送り出すと、ローラ対の一方の回転軸に一体に支持された羽根車が、ローラ対から送り出された投票用紙の下端部を側方に寄せることになり、これを支持部で支持することになる。このようにすることで、交付時に一枚の投票用紙を繰り出すことと残数計数時に所定の複数枚の投票用紙を保持することとの両方に対応でき、その上で、回収部で生じるジャムを防止することができる。
【００１５】
請求項４に係る発明によれば、回収部は、機外繰出部およびリジェクト収納部とは別に設けられた回収収納部であるため、回収作業がさらに容易になる。
【００１６】
請求項５に係る発明によれば、回収指示手段に回収操作が入力されると、それまで検知部で単送を検知した投票用紙を計数していた交付用カウンタとは別の回収用カウンタにて、検知部で単送を検知した投票用紙を計数するため、誤計数を防止することができる。
【００１７】
請求項６に係る発明によれば、交付用カウンタおよび回収用カウンタの各計数データをプリンタに出力することで、印字データとして記録を残すことができる。
【００１８】
請求項７に係る発明によれば、装填枚数データ入力手段に入力され装填枚数記憶手段に記憶された装填枚数データから交付用カウンタの計数データおよび回収用カウンタの計数データを減算したリジェクト枚数データを算出して出力することになるため、リジェクト収納部の投票用紙の手作業による計数データと容易に照合することができる。
【発明を実施するための最良の形態】
【００１９】
本発明の第１実施形態の投票用紙交付機を図１〜図３を参照して以下に説明する。
【００２０】
図１に示すように、第１実施形態の投票用紙交付機１１は、機体の下部に設けられて投票用紙Ｐが上下に集積された状態で装填される装填部１３と、装填部１３に装填された投票用紙Ｐを上端のものから一枚ずつ分離して繰り出し搬送する繰出搬送部１４と、繰出搬送部１４で搬送中の投票用紙Ｐを検知する繰出検知部（検知部）１５と、操作者に対して表示を行うとともに操作者による操作入力を受け付けるタッチパネル式の図２に示す表示操作部（回収指示手段，表示手段，装填枚数データ入力手段）１２と、制御部１６と、記憶部（装填枚数記憶手段）１７とを有している。
【００２１】
図１に示すように、装填部１３は、投票用紙Ｐが上下に集積された状態で載置される昇降可能な載置台２０と、この載置台２０を上方に付勢する図示略のスプリングとを有しており、投票用紙Ｐの量に応じて載置台２０が昇降する。装填部１３には、発光素子２１ａおよび受光素子２１ｂを有する透過型光学センサからなる装填用紙残留検知部２１が設けられている。この装填用紙残留検知部２１は、受光素子２１ｂの受光レベルが高い状態では投票用紙Ｐが装填部１３にないことを検知する一方、受光素子２１ｂの受光が投票用紙Ｐで遮られ受光レベルが下がることで投票用紙Ｐが装填部１３にあることを検知する。装填部１３には、機体前部に設けられた開閉部２２が開放されて投票用紙Ｐが機外から装填される。
【００２２】
繰出搬送部１４は、載置台２０に載置され図示略のスプリングで上向きに押された投票用紙Ｐの上端のものの中間部に上側から当接する蹴出ローラ２５と、蹴出ローラ２５による投票用紙Ｐの蹴り出し方向前方に設けられて蹴り出された投票用紙Ｐをさらに繰り出す繰出ローラ２６と、繰出ローラ２６の下側に設けられて蹴出ローラ２５により蹴り出された投票用紙Ｐを繰出ローラ２６との間で一枚ずつに分離する分離ローラ２７とを有している。なお、蹴出ローラ２５は外周の一部が高摩擦部２５Ａとされ残りの部分が低摩擦部２５Ｂとされており、高摩擦部２５Ａで投票用紙を繰出ローラ２６および分離ローラ２７間に蹴り出すと、その後は低摩擦部２５Ｂが投票用紙Ｐに接触して投票用紙Ｐに搬送力を付与せず、繰出ローラ２６および分離ローラ２７間の投票用紙Ｐがこれらで引き出される。このとき、分離ローラ２７は停止していて蹴り出された投票用紙Ｐが複数ある場合に、下側の投票用紙Ｐを停止させることになり、基本的には最上位置の投票用紙Ｐのみが繰出ローラ２６で繰り出される。
【００２３】
繰出搬送部１４は、蹴出ローラ２５、繰出ローラ２６および分離ローラ２７によって装填部１３から側方に繰り出された投票用紙Ｐを上向きに湾曲状に案内する第１経路３１と、この第１経路３１の端末位置からさらに上方に投票用紙Ｐを案内する第２経路３２と、第１経路３１の端末位置から装填部１３の上側に向けて湾曲状に投票用紙Ｐを案内する第３経路３３とを有しており、第１経路３１には、投票用紙Ｐを搬送するための搬送ローラ３４，３５が設けられている。
【００２４】
繰出検知部１５は、繰出搬送部１４の第１経路３１を介して両側に対向配置された発光素子１５ａおよび受光素子１５ｂからなる透過型光学センサである。繰出検知部１５は、発光素子１５ａからの発光を受光素子１５ｂで受光することになり、この受光素子１５ｂの受光レベルが、第１経路３１を移動する投票用紙Ｐで遮られて低下することで、投票用紙Ｐがあることを検知するとともに、その際の受光素子１５ｂの受光レベル（言い換えれば投票用紙Ｐによる遮光レベル）の大小から投票用紙Ｐが一枚だけ送られる単送であるか、投票用紙Ｐが複数枚重なって送られる重送であるかを判定する。
【００２５】
また、投票用紙交付機１１は、繰出搬送部１４の第２経路３２の端末位置に設けられて第２経路３２で案内されてきた投票用紙Ｐを取出可能に繰り出す機外繰出部３８（回収部）と、繰出搬送部１４の第３経路３３の端末位置に設けられて第３経路３３で案内されてきた投票用紙Ｐを装填部１３の上方位置で収納するリジェクト収納部３９と、繰出搬送部１４の第１経路３１で搬送される投票用紙Ｐを、繰出検知部１５の検知結果に基づいて第２経路３２および第３経路３３に選択的に振り分ける振分部４０とを有している。
【００２６】
振分部４０は、ソレノイドで駆動される揺動ガイド式のもので、繰出検知部１５で単送が検知された投票用紙Ｐを第２経路３２に案内して機外繰出部３８に振り分ける一方、繰出検知部１５で重送が検知された投票用紙Ｐを第３経路３３に案内してリジェクト収納部３９に振り分ける。振分部４０は、通常は投票用紙Ｐを第２経路３２に案内する状態となっており、駆動されると投票用紙Ｐを第３経路３３に案内する状態になる。
【００２７】
リジェクト収納部３９は、第３経路３３の端末位置に設けられて投票用紙Ｐをリジェクト収納部３９内に向けて側方に送り出すローラ４３およびローラ４４を有している。リジェクト収納部３９は、繰出搬送部１４の第３経路３３で搬送される投票用紙Ｐ、つまり繰出検知部１５で重送が検知された投票用紙Ｐを交付することなく収納するもので、第３経路３３から放出された投票用紙Ｐを下から上に集積させて収納する。リジェクト収納部３９には、発光素子４１ａおよび受光素子４１ｂを有する透過型光学センサからなるリジェクト用紙残留検知部４１が設けられている。このリジェクト用紙残留検知部４１は、受光素子４１ｂの受光レベルが高い状態では投票用紙Ｐがリジェクト収納部３９にないことを検知する一方、受光素子４１ｂの受光が投票用紙Ｐで遮られ受光レベルが下がることで投票用紙Ｐがリジェクト収納部３９にあることを検知する。リジェクト収納部３９に収納された投票用紙Ｐは、機体上部の開閉部４２が開放されて、機外に取り出される。
【００２８】
機外繰出部３８は、第２経路３２の端末位置に設けられて投票用紙Ｐを上方に向けて送り出すローラ４５およびローラ４６を有するローラ対４７と、ローラ対４７を構成する一方のローラ４５の回転軸４５ａに一体に支持され、ローラ対４７から送り出される投票用紙Ｐの下端部を他方のローラ４６とは反対の側方に寄せる羽根車４８とを有している。そして、機外繰出部３８は、他方のローラ４６側に鉛直方向に送うガイド壁部５０が設けられ、一方のローラ４５側には、羽根車４８で寄せられた投票用紙Ｐの下端部を支持する水平に沿う下端支持部５１と、下端支持部５１のローラ対４７とは反対側の端部から上側ほどガイド壁部５０に近接するように傾斜して延出する傾斜部５２と、傾斜部５２の上端からガイド壁部５０と平行をなして上方に延出する鉛直部５３とを有する収容壁部５４が設けられている。
【００２９】
収容壁部５４の下端支持部５１と傾斜部５２とで形成される空間がローラ対４７から送り出されて羽根車４８で寄せられた投票用紙Ｐの下端部を複数枚分、ローラ対４７から離間させた状態で収容する収容空間５５となっている。ここで、ガイド壁部５０とこれに最も近接する収容壁部５４の鉛直部５３との間が、下端支持部５１で支持された投票用紙Ｐの上端を突出させる取出口５６となっており、この取出口５６は、一枚の投票用紙Ｐを立てた状態で保持可能であり、かつ所定の複数枚の投票用紙Ｐを立てた状態で保持可能な大きさに形成されている。以上により、機外繰出部３８は投票用紙Ｐを複数枚保持可能に構成されている。機外繰出部３８には、発光素子５７ａおよび受光素子５７ｂを有する透過型光学センサからなる繰出用紙残留検知部５７が設けられている。この繰出用紙残留検知部５７は、受光素子５７ｂの受光レベルが高い状態では投票用紙Ｐが機外繰出部３８にないことを検知する一方、受光素子５７ｂの受光が投票用紙Ｐで遮られ受光レベルが下がることで投票用紙Ｐが機外繰出部３８にあることを検知する。
【００３０】
また、投票用紙交付機１１には、図２に示すように、表示操作部１２とは別に男性用交付ボタン６０および女性用交付ボタン６１がそれぞれ設けられており、さらに用紙に印字可能なプリンタ６２が内蔵されている。
【００３１】
次に、投票用紙交付機１１の作動について説明する。
電源がオンされた直後の初期状態で、制御部１６は、繰出検知部１５、装填用紙残留検知部２１、リジェクト用紙残留検知部４１および繰出用紙残留検知部５７のいずれも投票用紙Ｐを検知していない状態にあるか否かを確認し、いずれかが投票用紙Ｐを検知している状態にあると、表示操作部１２に、投票用紙Ｐを取り除くように促す表示を表示させて待機する。なお、制御部１６は、計数用の複数のカウンタを有しており、電源オン時にはすべてのカウンタが０にリセットされている。
【００３２】
繰出検知部１５、装填用紙残留検知部２１、リジェクト用紙残留検知部４１および繰出用紙残留検知部５７のいずれも投票用紙Ｐを検知していない状態にあると、制御部１６は、表示操作部１２に、投票用紙Ｐの装填枚数データの入力を促す表示を表示させる。これを見て操作者が、投票用紙Ｐの装填枚数データを入力すると、制御部１６は、これを記憶部１７に記憶させるとともに、装填部１３への投票用紙Ｐの装填を促す表示を表示させる。これを見て操作者が、開閉部２２を開けて装填部１３の装填台２０を下げ、装填台２０と蹴出ローラ２５との間に投票用紙Ｐを集積状態で装填して、開閉部２２を閉じる。
【００３３】
制御部１６は、装填用紙残留検知部２１が投票用紙Ｐを検知する状態となると、投票用紙Ｐの交付が可能になった旨の表示を表示操作部１２に表示させて待機状態となる。
【００３４】
待機状態になってから、例えば、男性用交付ボタン６０が操作されると、制御部１６は、繰出搬送部１４を駆動する。すると、蹴出ローラ２５が高摩擦部２５Ａで装填部１３の最上位置の投票用紙Ｐを繰出ローラ２６および分離ローラ２７間に蹴り出し、繰出ローラ２６および分離ローラ２７が、蹴り出された投票用紙Ｐを分離し引き出して送り出す。すると、繰出検知部１５が投票用紙Ｐを検知するとともに単送か重送であるかを検知する。単送である場合には、制御部１６が、男性交付用カウンタを１加算し総合交付用カウンタを１加算するとともに、この単送の投票用紙Ｐを、搬送ローラ３４，３５および振分部４０によって第２経路３２を介して機外繰出部３８に搬送する。すると、この投票用紙Ｐは、機外繰出部３８のローラ対４７から上方に放出され、上端部が取出口５６から突出するとともに、下端部が羽根車４８で側方に寄せられて下端支持部５１で支持される。
【００３５】
なお、繰出検知部１５による投票用紙Ｐの検知に基づくタイミングで、制御部１６は、蹴出ローラ２５、繰出ローラ２６および分離ローラ２７が一枚分の投票用紙Ｐを下流側に送り出したと判断すると、これらを停止させる。また、制御部１６は、繰出検知部１５による投票用紙Ｐの検知に基づくタイミングで、機外繰出部３８に投票用紙Ｐを繰り出したと判断すると、搬送ローラ３４，３５、ローラ４３，４４，４５，４６を停止させる。繰出用紙残留検知部５７で投票用紙Ｐの機外繰出部３８からの取り出しが検知されると、制御部１６は、今回の男性用交付ボタン６０の操作に基づく一枚の投票用紙Ｐの交付が終了したと判断し待機状態に戻る。
【００３６】
ここで、上記において、繰出検知部１５が投票用紙Ｐの重送を検知すると、制御部１６は、男性交付用カウンタおよび総合交付用カウンタを加算することなく、振分部４０を駆動して切り替える。そして、繰出ローラ２６および分離ローラ２７から繰り出された投票用紙Ｐを、搬送ローラ３４，３５および振分部４０によって第３経路３３を介してリジェクト収納部３９に搬送し、ローラ４３，４４でリジェクト収納部３９内に放出させる。このとき、制御部１６は、蹴出ローラ２５、繰出ローラ２６および分離ローラ２７を停止させずに次の投票用紙Ｐを繰り出させることになり、重送が検知される限り、投票用紙Ｐをリジェクト収納部３９に搬送する。他方、単送が検知されると、制御部１６は、振分部４０の駆動を停止して切り替え、男性交付用カウンタを１加算し総合交付用カウンタを１加算する。以後、上記と同様にして、繰出ローラ２６および分離ローラ２７から繰り出された単送の投票用紙Ｐを、搬送ローラ３４，３５および振分部４０によって第２経路３２を介して機外繰出部３８に繰り出す。
【００３７】
なお、待機状態から、女性用交付ボタン６１が操作されると、制御部１６は、装填部１３から繰り出された投票用紙Ｐが単送である場合に女性交付用カウンタを１加算し総合交付用カウンタを１加算する以外は、上記と同様にして投票用紙Ｐを交付する。
【００３８】
投票用紙Ｐの交付によって、機外繰出部３８に繰り出された投票用紙Ｐの総枚数が、総合交付用カウンタの計数データとなり、男性用交付ボタン６０が操作されて機外繰出部３８に繰り出された投票用紙Ｐの総枚数が、男性交付用カウンタの計数データとなり、女性用交付ボタン６１が操作されて機外繰出部３８に繰り出された投票用紙Ｐの総枚数が、女性交付用カウンタの計数データとなる。
【００３９】
ここで、待機状態にあるときに表示操作部１２では、機内の投票用紙Ｐを回収する回収動作が選択可能となっており、この回収動作を選択する回収操作が入力されると、制御部１６は、まず、男性交付用カウンタ、女性交付用カウンタおよび総合交付用カウンタを書き換え不可にロックし、これらとは別の回収用カウンタのロックを解除する。そして、装填部１３に残存する投票用紙Ｐを所定枚数ずつ機外繰出部３８に繰り出す所定枚数繰出動作を適宜繰り返すことになる。
【００４０】
つまり、制御部１６は、所定枚数繰出動作の開始に当たって、繰出搬送部１４を駆動し、装填部１３に残存する投票用紙Ｐの最上位置の投票用紙Ｐを、蹴出ローラ２５、繰出ローラ２６および分離ローラ２７で送り出す。そして、繰出検知部１５が投票用紙Ｐを検知するとともに単送か重送であるかを検知し、単送である場合には、制御部１６が回収用カウンタを１加算する（つまり、繰出検知部１５で単送を検知した投票用紙Ｐを計数する）とともに、この単送の投票用紙Ｐを、搬送ローラ３４，３５および振分部４０によって第２経路３２を介して機外繰出部３８に搬送する。すると、この投票用紙Ｐは、機外繰出部３８のローラ対４７から上方に放出され、上端部が取出口５６から突出するとともに、下端部が羽根車４８で側方に寄せられて下端支持部５１で支持される。他方、繰出検知部１５が投票用紙Ｐの重送を検知すると、制御部１６は、回収用カウンタを加算することなく、振分部４０を駆動して切り替えることにより、繰出検知部１５で重送を検知したこの投票用紙Ｐを、搬送ローラ３４，３５および振分部４０によって第３経路３３を介してリジェクト収納部３９に搬送する。
【００４１】
なお、所定枚数繰出動作では、制御部１６は、蹴出ローラ２５、繰出ローラ２６、分離ローラ２７、搬送ローラ３４，３５、ローラ４３〜４６を停止させずに、装填部１３に残存する投票用紙Ｐを分離し順次間隔をあけて搬送することになり、単送の投票用紙Ｐが、順次、機外繰出部３８のローラ対４７から上方に放出され、下端部が羽根車４８で側方に寄せられてこの方向に集積される。そして、制御部１６は、繰出検知部１５により予め設定された所定の複数枚（例えば３０枚）の単送の投票用紙Ｐの最後の一枚を検知すると、この検知に基づくタイミングで、蹴出ローラ２５、繰出ローラ２６および分離ローラ２７がこの最後の単送の投票用紙Ｐを下流側に送り出したと判断すると、これらを一旦停止させ、繰出検知部１５によるこの最後の単送の投票用紙Ｐの検知に基づくタイミングで、この投票用紙Ｐを機外繰出部３８に繰り出したと判断すると、搬送ローラ３４，３５、ローラ４３，４４，４５，４６を一旦停止させるとともに、表示操作部１２に投票用紙Ｐの取り出しを促す表示を表示させる。以上で、所定枚数の投票用紙Ｐを機外繰出部３８に繰り出す所定枚数繰出動作が終了する。これにより、図３に示すように、予め設定された所定の複数枚の投票用紙Ｐが機外繰出部３８の下端支持部５１で支持され横方向に集積された状態となる。
【００４２】
繰出用紙残留検知部５７が、機外繰出部３８から投票用紙Ｐが取り出されたことを検知すると、制御部１６は、繰出搬送部１４の駆動を開始して、上記した所定枚数繰出動作を再び行う。
【００４３】
そして、所定枚数繰出動作を適宜繰り返すことで、装填用紙残留検知部２１により装填部１３に残存する投票用紙Ｐが検知されなくなると、制御部１６は、繰出検知部１５による全体最後の投票用紙Ｐの検知に基づくタイミングで、蹴出ローラ２５、繰出ローラ２６および分離ローラ２７がこの全体最後の投票用紙Ｐを下流側に送り出したと判断すると、これらを停止させ、繰出検知部１５によるこの全体最後の投票用紙Ｐの検知に基づくタイミングで、この全体最後の投票用紙Ｐを機外繰出部３８およびリジェクト収納部３９の対応するものに繰り出したと判断すると、搬送ローラ３４，３５、ローラ４３，４４，４５，４６を停止させる。そして、制御部１６は、男性交付用カウンタの計数データ、女性交付用カウンタの計数データ、総合交付用カウンタの計数データおよび回収用カウンタの計数データを表示操作部１２に表示させる。加えて、制御部１６は、記憶部１７に記憶された装填枚数データから総合交付用カウンタの計数データおよび回収用カウンタの計数データを減算してリジェクト枚数データを算出し、このリジェクト枚数データを表示操作部１２に表示させる。
【００４４】
その後、操作者は、開閉部４２を開いて、リジェクト収納部３９にリジェクトされた投票用紙Ｐを手作業で計数することになり、この計数データと上記したリジェクト枚数データとが一致するか否かを照合する。
【００４５】
また、表示操作部１２は、上記した各データの表示とともに、これらのデータを用紙に印字するための印字ボタンを表示させており、この印字ボタンが押圧操作されると、制御部１６は、男性交付用カウンタの計数データ、女性交付用カウンタの計数データ、総合交付用カウンタの計数データ、回収用カウンタの計数データおよびリジェクト枚数データを日付および投票用紙交付機１１の個別の識別番号とともにプリンタ６２に出力し、プリンタ６２によりこれらのデータを用紙に印字させる。なお、プリンタ６２は投票用紙交付機１１に必ずしも内蔵されている必要はなく、外部接続されるものであっても良い。
【００４６】
以上に述べた第１実施形態の投票用紙交付機１１によれば、表示操作部１２に回収操作が入力されると、装填部１３に残存する投票用紙Ｐを繰出搬送部１４で分離して搬送し、繰出検知部１５で重送を検知した投票用紙Ｐを振分部４０でリジェクト収納部３９に振り分ける一方、繰出検知部１５で単送を検知した投票用紙Ｐを計数して振分部４０で機外繰出部３８に振り分けるとともに、繰出検知部１５の計数結果を表示操作部１２に表示することになるため、内部に残存していた投票用紙Ｐのうち機外繰出部３８に送られる投票用紙Ｐの数を自動で計数して表示できる。よって、この計数データに、リジェクト収納部３９に収納された投票用紙Ｐを手作業で計数した計数データを加算すれば、内部に残存していた投票用紙Ｐの数を計数できる。したがって、内部に残存していた投票用紙Ｐの計数作業の容易化を図ることができる。
【００４７】
また、表示操作部１２に回収操作が入力されると、装填部１３に残存する投票用紙Ｐを繰出搬送部１４で分離して搬送し繰出検知部１５で単送を検知した投票用紙Ｐを計数して振分部４０で機外繰出部３８に振り分けるとともに所定枚数の投票用紙Ｐを機外繰出部３８に繰り出すと繰出搬送部１４を一旦停止させる所定枚数繰出動作を行い、機外繰出部３８から投票用紙Ｐが取り出されたことを検知すると、再び、前記所定枚数繰出動作を行う。このように所定枚数繰出動作を適宜繰り返すことによって、内部に残存していた投票用紙Ｐを計数することになる。このように、交付時に一枚の投票用紙Ｐを繰り出す機外繰出部３８に、保持可能な所定の複数枚の投票用紙Ｐを繰り出すことを繰り返すことによって、機外繰出部３８を残数計数時の投票用紙Ｐの回収部として利用できる。したがって、コスト増を抑制することができる。
【００４８】
また、機外繰出部３８が、ローラ対４７が投票用紙Ｐを上方に向けて送り出すと、ローラ対４７の一方の回転軸４５ａに一体に支持された羽根車４８が、ローラ対４７から送り出された投票用紙Ｐの下端部を側方に寄せることになり、これを下端支持部５１で支持することになる。このようにして、交付時に一枚の投票用紙Ｐを繰り出すことと残数計数時に所定の複数枚の投票用紙Ｐを保持することとの両方に対応でき、その上で、機外繰出部３８で生じるジャムを防止することができる。
【００４９】
また、表示操作部１２に回収操作が入力されると、それまで繰出検知部１５で単送を検知した投票用紙Ｐを計数していた男性交付用カウンタ、女性交付用カウンタおよび総合交付用カウンタとは別の回収用カウンタにて、繰出検知部１５で単送を検知した投票用紙Ｐを計数するため、誤計数を防止することができる。
【００５０】
また、交付用カウンタおよび回収用カウンタの各計数データをプリンタ６２に出力することで、印字データとして記録を残すことができる。
【００５１】
また、表示操作部１２に入力され記憶部１７に記憶された装填枚数データから総合交付用カウンタの計数データおよび回収用カウンタの計数データを減算したリジェクト枚数データを算出し出力して表示操作部１２に表示し、必要によりプリンタ６２で印字することになるため、リジェクト収納部３９の投票用紙Ｐの手作業による計数データと容易に照合することができる。
【００５２】
本発明の第２実施形態の投票用紙交付機を図４を参照して第１実施形態との相違部分を中心に以下に説明する。なお、第１実施形態と同様の部分には同一の符号を付しその説明は略す。
【００５３】
第２実施形態の投票用紙交付機１１においては、繰出搬送部１４に、第１経路３１の振分部４０の上流（下流でも可）から第４経路６４を分岐させて、この分岐位置に振分部６５を設け、さらに第４経路６４の端末にローラ６７，６８と、装填部１３に残存していた投票用紙Ｐを回収する専用の着脱可能な回収庫（回収部，回収収納部）６６とを設けても良い。ここで、振分部６５は、通常は投票用紙Ｐを第１経路３１でそのまま案内する状態となっており、駆動されると投票用紙Ｐを第４経路６４に案内する状態になる。また、一方のローラ６７の回転軸６７ａには、投票用紙Ｐの上端部を他方のローラ６８とは反対の側方に寄せる羽根車６９が設けられている。
【００５４】
このように構成した場合、表示操作部１２に回収操作が入力されると、制御部１６は、繰出搬送部１４を駆動し、装填部１３に残存する投票用紙Ｐの最上位置の投票用紙Ｐを、蹴出ローラ２５、繰出ローラ２６および分離ローラ２７で送り出す。そして、繰出検知部１５が投票用紙Ｐを検知するとともに単送か重送であるかを検知し、単送である場合には、制御部１６が回収用カウンタを１加算するとともに、この単送の投票用紙Ｐを、振分部６５、搬送ローラ３４，３５およびローラ６７，６８によって第４経路６４を介して回収庫６６に搬送する。回収庫６６に放出された投票用紙Ｐは羽根車６９で側方に寄せられる。他方、繰出検知部１５が投票用紙Ｐの重送を検知すると、制御部１６は、回収用カウンタを加算することなく、重送を検知したこの投票用紙Ｐを、搬送ローラ３４，３５および振分部４０によって第３経路３３を介してリジェクト収納部３９に搬送する。
【００５５】
装填部１３から順次繰り出される投票用紙Ｐのそれぞれに対して、繰出検知部１５の検知結果に応じた上記動作を行う。これにより、単送の投票用紙Ｐは、順次、ローラ６７，６８から下方に放出され、上端部が羽根車６９で側方に寄せられて横方向に集積される。そして、装填用紙残留検知部２１により装填部１３に残存する投票用紙Ｐが検知されなくなると、制御部１６は、繰出検知部１５による全体最後の投票用紙Ｐの検知に基づくタイミングで、蹴出ローラ２５、繰出ローラ２６および分離ローラ２７がこの全体最後の投票用紙Ｐを下流側に送り出したと判断すると、これらを停止させ、繰出検知部１５によるこの全体最後の投票用紙Ｐの検知に基づくタイミングで、この全体最後の投票用紙Ｐを回収庫６６およびリジェクト収納部３９の対応するものに繰り出したと判断すると、搬送ローラ３４，３５、ローラ４３，４４，６７，６８を停止させる。そして、制御部１６は、上記と同様に、男性交付用カウンタの計数データ、女性交付用カウンタの計数データ、総合交付用カウンタの計数データ、回収用カウンタの計数データおよびリジェクト枚数データを表示操作部１２に表示する。
【００５６】
このように、機外繰出部３８およびリジェクト収納部３９とは別に設けられた専用の回収庫６６で投票用紙Ｐを回収するため、途中で投票用紙交付機１１を停止することなく回収作業ができ、回収作業がさらに容易になる。
【図面の簡単な説明】
【００５７】
【図１】本発明の第１実施形態の投票用紙交付機を概略的に示す側断面図である。
【図２】本発明の第１実施形態の投票用紙交付機を示すブロック図である。
【図３】本発明の第１実施形態の投票用紙交付機における機外繰出部を示す拡大断面図である。
【図４】本発明の第２実施形態の投票用紙交付機を概略的に示す側断面図である。
【符号の説明】
【００５８】
１１  投票用紙交付機
１２  表示操作部（回収指示手段，表示手段，装填枚数データ入力手段）
１３  装填部
１４  繰出搬送部
１５  繰出検知部（検知部）
１７  記憶部（装填枚数記憶手段）
３８  機外繰出部（回収部）
３９  リジェクト収納部
４０，６５  振分部
４５，４６  ローラ
４５ａ  回転軸
４７  ローラ対
４８  羽根車
５１  下端支持部（支持部）
６２  プリンタ
６６  回収庫（回収部，回収収納部）
Ｐ  投票用紙
【図１】
2010039905.tif 000003
【図２】
2010039905.tif 000004
【図３】
2010039905.tif 000005
【図４】
2010039905.tif 000006